(57)【要約】  パワーが異なり、色温度が異なり、ＬＥＤチップ及び前記ＬＥＤチップの外部に設けられるパッケージ層を備える複数のＬＥＤ発光ユニットが設けられている切断可能なＬＥＤキャリアと、前記ＬＥＤチップに接続され、何れか1つ又は複数のＬＥＤチップを駆動して発光させる分割可能な駆動回路とを含むＬＥＤモジュール。このＬＥＤモジュールは、実際の需要に応じて必要なパワー、発光色及び色温度を有するモジュールユニットに切断されてもよく、そして、1種のプロセスで製作され、多種類の材料及び生産設備の投入が避けられ、複雑なプロセスを採用する必要がなく、生産過程での資源浪費と生産効率の低下といった問題が解決された。【選択図】図１
2014502030.tif 000002
【特許請求の範囲】
【請求項１】
任意に切断されて異なる色、色温度及びパワーを有するモジュールユニットを得るために、パワーが異なり、色温度が異なり、ＬＥＤチップ及び前記ＬＥＤチップの外部に設けられるパッケージ層を備える複数のＬＥＤ発光ユニットが設けられている切断可能なＬＥＤキャリアと、前記ＬＥＤチップに接続され、何れか1つ又は複数のＬＥＤチップを駆動して発光させる分割可能な駆動回路と、を含み、前記ＬＥＤ発光ユニットの射出した光が、単色光、色温度５０００Ｋ〜１００００Ｋの昼光色光、色温度２４００Ｋ〜３５００Ｋの温白色光及び色温度３５００Ｋ〜５０００Ｋの昼白色光を含むことを特徴とするＬＥＤモジュール。
【請求項２】
前記ＬＥＤチップが赤色光ＬＥＤチップ、緑色光ＬＥＤチップ、青色光ＬＥＤチップ又はそれらの任意の組合せであることを特徴とする請求項１に記載のＬＥＤモジュール。
【請求項３】
ＬＥＤチップの全部又は一部の表面が蛍光粉で覆っており、色温度が異なる射出光を得るために、異なるＬＥＤチップの表面を覆う蛍光粉が異なることを特徴とする請求項１に記載のＬＥＤモジュール。
【請求項４】
前記ＬＥＤキャリアが平板キャリアであることを特徴とする請求項１に記載のＬＥＤモジュール。
【請求項５】
前記ＬＥＤキャリアがそれぞれに１つの又は複数のＬＥＤチップを収容するＬＥＤチップ収容用の凹み溝又はボスを備えることを特徴とする請求項１に記載のＬＥＤモジュール。
【請求項６】
前記パッケージ層が前記凹み溝又はボスのそれぞれに対応して設けられる光透過層であることを特徴とする請求項５に記載のＬＥＤモジュール。
【請求項７】
前記パッケージ層がＬＥＤチップ全体の上方を覆う一体構造の光透過層であることを特徴とする請求項１〜５のいずれか一項に記載のＬＥＤモジュール。
【請求項８】
複数のＬＥＤチップ同士が並列接続、直列連結、又はそれらの組合せによって接続することを特徴とする請求項１〜５のいずれか一項に記載のＬＥＤモジュール。
【請求項９】
発光コンポーネントを含む照明装置であって、前記発光コンポーネントが請求項１〜８のいずれか一項に記載のＬＥＤモジュールであることを特徴とする照明装置。
【発明の詳細な説明】
【技術分野】
【０００１】
本発明は、照明分野に関し、特にＬＥＤモジュール及び照明装置に関する。
【背景技術】
【０００２】
ＬＥＤは、第４世代の照明光源として、エネルギー消費量が低く、体積が小さく、環境にやさしく、悪い環境に耐える能力が強く、使用寿命が長く、安全性がよい等の長所を有し、２１世紀の環境に優しい光源と褒められている。現在、生産や生活における各種の需要を満たすために、業界は、市場需要によっては、パワーが異なり、色温度が異なるＬＥＤライト又はＬＥＤモジュールを大量に生産する。しかしながら、パワーが異なり、色温度が異なるＬＥＤライト又はＬＥＤモジュールを生産するには、異なるプロセスを採用し、異なる材料と生産設備を選択して使用する必要があるが、これらの異なる工程、材料及び設備等が汎用できなく、資源のひどい浪費や生産効率の低下を引き起こしてしまう。
【発明の概要】
【発明が解決しようとする課題】
【０００３】
本発明の実施例は、従来のＬＥＤモジュールの生産効率が低いという問題を解決するために、ＬＥＤモジュールを提供することを目的とする。
【課題を解決するための手段】
【０００４】
本発明の実施例は、パワーが異なり、色温度が異なり、ＬＥＤチップ及び前記ＬＥＤチップの外部に設けられるパッケージ層を備える複数のＬＥＤ発光ユニットが設けられている切断可能なＬＥＤキャリアと、前記ＬＥＤチップに接続され、何れか1つ又は複数のＬＥＤチップを駆動して発光させる分割可能な駆動回路とを含むＬＥＤモジュールによって実現される。
【０００５】
本発明の実施例は、発光コンポーネントを含み、前記発光コンポーネントが上記のＬＥＤモジュールである照明装置を提供することを別の目的とする。
【発明の効果】
【０００６】
本発明の実施例は、パワーが異なり、色温度が異なる複数のＬＥＤ発光ユニットを１つの切断可能なＬＥＤキャリアに集積し、分割可能な駆動回路によって何れか1つ又は複数のＬＥＤ発光ユニットを点灯させて、必要なパワー、色及び色温度を有する射出光を得ると共に、ＬＥＤキャリアの切断可能性と駆動回路の分割可能性によって、このＬＥＤモジュールを任意に切断でき、異なる発光色温度及びパワーを有するモジュールユニットを得て、後の使用の自由度が高くなった。このＬＥＤモジュールは、１種のプロセスで製作され、多種類の材料及び生産設備の投入が避けられ、複雑なプロセスを採用する必要がなく、さらに生産過程での資源浪費及び生産効率の低下といった問題が解決された。
【図面の簡単な説明】
【０００７】
【図１】本発明の第２の実施例で提供するＬＥＤモジュールの構造模式図である。
【図２】本発明の第３の実施例で提供するＬＥＤモジュールの構造模式図である。
【図３】本発明の第４の実施例で提供するＬＥＤモジュールの構造模式図である。
【発明を実施するための形態】
【０００８】
本発明の目的、技術方案及び長所をより明らかにするために、以下、添付図面及び実施例を参照しながら、本発明を更に詳しく説明する。ここで説明した具体的な実施例が本発明を説明するためのものだけであり、本発明を限定するものではないことを理解すべきである。
【０００９】
本発明の実施例は、切断可能なＬＥＤキャリアを用いてパワーが異なり、色温度が異なる複数のＬＥＤ発光ユニットを載せ、分割可能な駆動回路によって任意のＬＥＤ発光ユニットを点灯させることで、パワー及び色温度が異なる射出光を得ることができると共に、必要な発光色温度及びパワーを有するモジュールユニットを得るために、ＬＥＤキャリアの切断可能性と駆動回路の分割可能性によってこのＬＥＤモジュールを任意に切断できる。
【００１０】
本発明の実施例は、パワーが異なり、色温度が異なり、ＬＥＤチップ及びＬＥＤチップの外部に設けられるパッケージ層を備えるＬＥＤ発光ユニットが設けられている切断可能なＬＥＤキャリアと、ＬＥＤチップに接続され、何れか1つ又は複数のＬＥＤチップを駆動して発光させる分割可能な駆動回路とを含むＬＥＤモジュールを提供する。
【００１１】
本発明の実施例は、パワーが異なり、色温度が異なる複数のＬＥＤ発光ユニットを１つの切断可能なＬＥＤキャリア上に集積し、分割可能な駆動回路によって何れか1つ又は複数のＬＥＤ発光ユニットを点灯させて、必要なパワー、色及び色温度を有する射出光を得ると共に、ＬＥＤキャリアの切断可能性と駆動回路の分割可能性によって、このＬＥＤモジュールを任意に切断でき、異なる発光色温度及びパワーを有するモジュールユニットを得て、後の使用の自由度が高くなった。このＬＥＤモジュールは、１種のプロセスで製作されてもよく、多種類の材料及び生産設備の投入が避けられ、複雑なプロセスを採用する必要がなく、更に生産過程での資源浪費及び生産効率の低下といった問題が解決された。
【００１２】
以下、具体的な実施例を参照しながら、本発明の具体的な実施形態を詳しく説明する。
【００１３】
（実施例１）
本実施例で提供するＬＥＤモジュールは、ＬＥＤキャリアと駆動回路とを含み、ＬＥＤキャリア上に複数のＬＥＤチップが載せられ、ＬＥＤチップの外部にパッケージ層が設けられており、パッケージ層について、複数のＬＥＤチップが共有する一体とした１つのパッケージ層であってもよく、ＬＥＤチップごとにパッケージ層が設けられてもよく、各ＬＥＤチップがそれに対応するパッケージ層と共に１つのＬＥＤ発光ユニットを構成し、ＬＥＤチップが駆動回路に駆動されて発光する。パワーが異なり、色温度が異なるＬＥＤモジュールの生産による資源浪費及び生産効率の低下といった問題を解決するために、本実施例におけるＬＥＤキャリアを任意に切断できるキャリア構造に設計し、駆動回路を任意に分割できる回路構造に設計する。そして、ＬＥＤキャリアに多種類のパワーと色温度を有するＬＥＤ発光ユニットが設けられており、複数のＬＥＤ発光ユニット同士が相互に独立し、隣接するＬＥＤ発光ユニット同士が電気接続し、駆動回路が何れか1つ又は任意の複数のＬＥＤチップを駆動して発光させることができ、更に多種類のパワー、色及び色温度を有する射出光が得られる。
【００１４】
本実施例では、ＬＥＤキャリアは、凹み溝又はボスを有するキャリア構造であってもよく、凹み溝又はボスがＬＥＤチップを収容すると共に、サイジング上の利便性も得られ、凹み溝又はボスごとに１つの又は複数のＬＥＤチップを収容できる。ＬＥＤキャリアに凹み溝を有する場合に、ＬＥＤチップが凹み溝内に収容され、この時に、ＬＥＤチップ全体を覆うようにＬＥＤキャリアの表面の全体に一体とした１つの光透過層、即ちパッケージ層を設けてもよく、勿論、各凹み溝の上方に対応して１つずつのパッケージ層を設けてもよい。ＬＥＤキャリアにボスを有する場合に、ＬＥＤチップがボス上に収容され、ボスごとにサイジングしてパッケージ層を形成してもよく、複数のボスに１つの大面積のパッケージ層を共有させてもよく、具体的なパッケージ方式が実際の生産プロセスによって決める。勿論、ＬＥＤキャリアが平板構造であってもよく、ＬＥＤチップが直接に平板キャリアに固定され、対応するパッケージ層について、同様にＬＥＤチップごとに1つずつに設けられたり、複数のＬＥＤチップに対して１つ設けられたりした複数の相互に独立した光透過層であってもよく、一体とした構造であるＬＥＤチップ全体を覆う１つの大面積の光透過層であってもよい。
【００１５】
本実施例で提供するＬＥＤモジュールは、実際の需要に応じて何れか1つ又は複数のＬＥＤ発光ユニットを点灯させて必要な色、パワー及び色温度を有する射出光を得ることができる。ＬＥＤキャリアを任意に切断して必要なモジュールユニットを得ることもでき、そして、駆動回路を任意に分割できるため、切断後のモジュールユニットが正常に作動することが保証される。切断後で得られたモジュールユニットに対して、必要なパワー、色及び色温度を有する射出光を得るために、駆動回路によって何れか1つ又は複数のＬＥＤ発光ユニットを点灯させてもよい。
【００１６】
また、ＬＥＤキャリアの凹み溝又はボスごとに複数のＬＥＤチップを収容してもよいので、ＬＥＤモジュールを切断して得られた単独の発光ユニットがシングルチップ構造でもマルチチップ構造でもよい。
【００１７】
このＬＥＤモジュールは、１種のプロセスで製作されてもよく、多種類の材料及び生産設備の投入が避けられ、複雑なプロセスを採用する必要がなく、更に生産過程での資源浪費及び生産効率の低下といった問題が解決された。
【００１８】
（実施例２）
図１は、本発明の第２の実施例で提供するＬＥＤモジュールの構造模式図を示し、説明の便宜上、本実施例に関連する部分のみを示す。
【００１９】
本発明の実施例では、多種類の色及び色温度を有する射出光を得るために、ＬＥＤチップの表面に蛍光粉を塗布してもよく、具体的には、ＬＥＤチップの一部の表面に蛍光粉を塗布してもよく、ＬＥＤチップの全体の表面に蛍光粉を塗布してもよい。ＬＥＤチップから射出した光が蛍光粉を励起して蛍光を射出させ、励起光と蛍光が混合して多種類の色及び色温度を有する射出光を形成することができる。
【００２０】
添付図面１を参照し、本実施例の１つの実施形態として、このＬＥＤチップは、すべて青色光ＬＥＤチップであってもよく、青色励起光が蛍光粉を励起して黄色蛍光を射出させ、青色光と黄色光とが混合した後で白色光を形成する。２種類の異なる色温度の白色光ＬＥＤ発光ユニットを得るために、青色光ＬＥＤチップの表面が２種類の異なる蛍光粉で覆われている。そのうち、ＬＥＤチップの一部が青色光を射出して蛍光粉を励起した後で昼光色(ＤＷ)光が得られ、その色温度が５０００〜１００００Ｋであり、ＬＥＤチップの他方の一部が青色光を射出して蛍光粉を励起した後で温白色(ＷＷ)光が得られ、その色温度が２４００〜３５００Ｋである。そのうち、昼光色光発光ユニットと温白色光発光ユニットが行を間隔として交互に設けられてもよい。このＬＥＤモジュールは、一体とした１つの発光コンポーネントとして用いられてもよく、実際の需要に応じて任意の発光ユニットを点灯させてもよい。パワーが小さい昼光色光又は温白色光の単独の発光源に切断してもよく、パワーが大きい昼光色光又は温白色光のモジュールユニットを得るように行を単位とする切断（１＊３、１＊４等）を行ってもよく、昼光色光と温白色光が混合したモジュールユニットを得るように複数の行列（２＊３、３＊５等）で切断してもよく、複数の昼光色光と温白色光の発光ユニットを同時に点灯させ光を混合させた後で、色温度が３５００〜５０００Ｋである昼白色(ＮＷ)光が得られる。
【００２１】
（実施例３）
図２は、本発明の第３の実施例で提供するＬＥＤモジュールの構造模式図を示し、説明の便宜上、本実施例に関連する部分のみを示す。
【００２２】
本発明の実施例では、ＬＥＤチップは、赤色光ＬＥＤチップ、緑色光ＬＥＤチップ及び青色光ＬＥＤチップの組合せであってもよい。このＬＥＤモジュールは一体とした１つの発光モジュールとして、単色光を得るようにある色のＬＥＤ発光ユニットを単独で点灯させてよく、赤、緑、青の３種の色の光を混合させて白色光を得るように３種のＬＥＤ発光ユニットを同時に点灯させてもよい。勿論、必要に応じてＬＥＤモジュールを切断してもよく、切断されたモジュールユニットに対して、単色光を得るようにある色の光のＬＥＤ発光ユニットを単独で点灯させてもよく、白色光を得るように３種の色の光のＬＥＤ発光ユニットを同時に点灯させてもよい。
【００２３】
添付図面２を参照し、本実施例の１つの実施形態として、赤色光ＬＥＤチップ、緑色光ＬＥＤチップ、青色光ＬＥＤチップは、三角形に配列された構造であってもよく、三角形の３つの頂点がそれぞれ赤色光ＬＥＤチップ、緑色光ＬＥＤチップ、青色光ＬＥＤチップに対応し、３種の色のＬＥＤ発光ユニットが同時に点灯して光が混合した後、白色光を形成する。必要な発光色及び色温度を有するモジュールユニットを得るために、実際の需要に応じてこのＬＥＤモジュールを切断してもよい。
【００２４】
（実施例４）
図３は、本発明の第４の実施例で提供するＬＥＤモジュールの構造模式図を示し、説明の便宜上、本実施例に関連する部分のみを示す。
【００２５】
本発明の実施例では、ＬＥＤチップは、青色光ＬＥＤチップと赤色光ＬＥＤチップの組合せであってもよく、その中の青色光ＬＥＤチップの表面が蛍光粉で覆われ、発光色温度３５００〜５０００Ｋの白色光発光ユニットが形成され、昼白色光を得るように白色光発光ユニットを単独で点灯させてもよく、赤色光を得るように赤色光発光ユニットを単独で点灯させてもよい。必要な発光色と色温度を有するモジュールユニットを得るように実際の需要に応じてこのＬＥＤモジュールを切断してもよい。
【００２６】
添付図面３を参照し、本実施例の１つの実施形態として、白色光発光ユニットと赤色光発光ユニットが行を間隔として交互に設けられてもよく、対応する色の光を得るように白色光発光ユニット又は赤色光発光ユニットを単独で点灯させてもよく、温白色光を得るように白色光発光ユニットと赤色光発光ユニットを同時に点灯させてもよい。このＬＥＤモジュールをパワーが小さい昼白色光又は赤色光の単独の発光源に切断してもよく、１行複数列の方式でパワーが大きい昼白色光モジュールユニット又は赤色光モジュールユニットに切断してもよい。色温度が２４００〜３５００Ｋである温白色光を得るように複数行複数列の方式で複数の昼白色光発光ユニットと赤色光発光ユニットを含むモジュールユニットに切断されてもよい。そして、赤色光発光ユニットの存在によってこのＬＥＤモジュールのスペクトルがより豊富になり、製品の演色性を著しく向上させることができる。
【００２７】
本発明は、パワーが異なり、色温度が異なる複数のＬＥＤ発光ユニットを１つの切断可能なＬＥＤキャリアに集積し、分割可能な駆動回路によって何れか1つ又は複数のＬＥＤ発光ユニットを点灯させて、必要なパワー、色及び色温度を有する射出光を得ると共に、ＬＥＤキャリアの切断可能性と駆動回路の分割可能性によって、このＬＥＤモジュールを任意に切断でき、異なる発光色温度及びパワーを有するモジュールユニットを得る。このＬＥＤモジュールは、１種のプロセスで製作されてもよく、多種類の材料及び生産設備の投入が避けられ、複雑なプロセスを採用する必要がなく、更に生産過程での資源浪費及び生産効率の低下といった問題が解決された。ＬＥＤチップの全部又は一部に蛍光粉を設けたり、赤色光ＬＥＤ発光ユニット、緑色光ＬＥＤ発光ユニット、青色光ＬＥＤ発光ユニットの合理的な組合せを採用したりすることで、昼光色光、温白色光及び昼白色光を得ることができ、実際の需要に応じてＬＥＤモジュールを切断することで、必要なパワー、色及び色温度を有するモジュールユニットを得ることができる。
【００２８】
以上で説明したのは本発明の好ましい実施例に過ぎず、本発明を限定するためのものではなく、本発明の精神と原則から逸脱せずに行った修正や同等な切り替え、改良等がすべて本発明の保護範囲に含まれるべきである。
【図１】
2014502030.tif 000003
【図２】
2014502030.tif 000004
【図３】
2014502030.tif 000005
【国際調査報告】
2014502030.tif 000006
2014502030.tif 000007
2014502030.tif 000008
2014502030.tif 000009
2014502030.tif 000010
2014502030.tif 000011